(57)【要約】【課題】体格の小さな狸等の害獣の通過を十分に阻止可能な獣害対策用金網を実現する。【解決手段】第１金網部ＭＰ１は、金網１０が柵として地面に立てかけられた際の正面視に於いて下部側に位置し、その各々が正面視に於ける左右方向Ｘに第１間隔Ｄ１で配列された複数の第１網目Ｍ１を有する。第２金網部ＭＰ２は、正面視に於いて上部側に位置して共通線材ＣＬＡの連結部分に於いて第１金網部ＭＰ１と結合しており、その各々が左右方向Ｘに第１間隔Ｄ１よりも広い第２間隔Ｄ２で配列された複数の第２網目Ｍ２を有する。第１乃至第４間隔Ｄ１，Ｄ２，Ｄ３，Ｄ４は、Ｄ１＜Ｄ２の関係が満足されている限り、不均一に設定されても良い。【選択図】図１
2015084674.tif 000002
【特許請求の範囲】
【請求項１】
柵として地面に立てかけた際の正面視に於いて下部側に位置し、その各々が前記正面視に於ける左右方向に第１間隔で配列された複数の第１網目を有する第１金網部と、
前記正面視に於いて上部側に位置して前記第１金網部と結合しており、その各々が前記左右方向に前記第１間隔よりも広い第２間隔で配列された複数の第２網目を有する第２金網部と
を備えたことを特徴とする、金網。
【請求項２】
請求項１に記載の金網であって、
前記第１金網部及び前記第２金網部は、少なくとも１本の、前記上下方向に於ける当該金網の両端部間に亘って前記上下方向に延在する共通の線材を有する
ことを特徴とする、金網。
【請求項３】
請求項１又は２に記載の金網であって、
前記第１金網部及び前記第２金網部は、少なくとも１本の、前記上下方向に於ける当該金網の上端部と、前記第１金網部及び前記第２金網部の連結部に該当する共通線材の下方に位置する所定の線材との間に亘って前記上下方向に延在する共通の線材を有する
ことを特徴とする、金網。
【請求項４】
請求項１乃至３の何れか１項に記載の金網であって、
前記複数の第１網目の各々の前記第１間隔は不均一に設定されている
ことを特徴とする、金網。
【発明の詳細な説明】
【技術分野】
【０００１】
本発明は、金網（フェンス）に関する。
【０００２】
より具体的な例として、本発明は、鹿、猪、狸、ウサギ、アライグマ又はイタチ等の野生動物、或いは、犬（野良犬を含む。）又は猫（野良猫を含む。）等の一般に人に飼育されている動物（以下、これらの動物を「害獣」という。）が田畑、放牧地、家屋の庭先又は花壇・庭園・公園等の土地（人間の生活圏に相当。）に侵入するのを防止するための、獣害対策用としての金網の構成に関する。
【背景技術】
【０００３】
害獣が田畑等の耕作地に侵入して農作物を食い荒らし、或いは、害獣が庭先・庭園等に侵入して庭園を荒らし又は人に対して危害を及ぼすことを防止するための対策として、獣害防止フェンスの設置が行われる。
【０００４】
特許文献１は、獣害防止フェンスとして、複数の縦方向鉄線と複数の横方向鉄線とが交差して成る複数の網目を有する、上端部、中間部及び下端部の３つの部分より成る溶接金網を提案している。即ち、溶接金網の各縦方向鉄線は等間隔で横方向に配置される一方、当該溶接金網の中間部を挟む上端部及び下端部に於ける各横方向鉄線を、上記中間部に於ける各横方向鉄線の間隔よりも狭い間隔にて等間隔で縦方向に配置されている。
【０００５】
斯かる構成の採用により、特許文献１は、獣害防止フェンスの下部を潜ろうとする小さな害獣及び幼獣の通過を阻止し得る点を、利点として主張している。
【先行技術文献】
【特許文献】
【０００６】
【特許文献１】特開２０１１−１４７４２５号公報
【特許文献２】実用新案登録第３１６０７８７号公報
【発明の概要】
【発明が解決しようとする課題】
【０００７】
しかし、特許文献１が提案する金網下部の網目構成を採用したとしても、正面視に於いて当該網目が中間部の網目と同様に横長の長方形構成であるために、鹿等の背丈の大きい害獣に比較して体格の小さな狸等の害獣（小動物）は依然として当該金網を通過することが可能である。そのため、特許文献１の構成を備える金網は、獣害防止フェンスとしては十分な作用・効果を発揮し得ない。
【０００８】
この点は、害獣（小動物）の農園等への侵入に拘わらず、人間の生活圏内に於ける不審者等の侵入防止阻止用としてのフェンス一般に関しても同様に生じ得る問題点でもある。特に幼児等の身体が比較的に小さい人間の管理地への不要な侵入を確実に阻止し得る金網の実現が望まれる。
【０００９】
そこで、本発明は、上記問題点を克服すべく創作されたものであり、金網の上空側の上部が背丈等の体格が比較的大きな害獣又は成人の人間の通過を阻止し得るに足りる構成を有することを採用しつつ、上記上部に繋がった金網の地面側の下部が狸等の体格が小さな害獣又は幼児等の人間の通過を十分に阻止することが可能な構成を有する金網を提案することを、その主目的としている。
【課題を解決するための手段】
【００１０】
本発明に係る金網の主題は、柵として地面に立てかけた際の正面視に於いて下部側に位置し、その各々が前記正面視に於ける左右方向に第１間隔で配列された複数の第１網目を有する第１金網部と、前記正面視に於いて上部側に位置して前記第１金網部と結合しており、その各々が前記左右方向に前記第１間隔よりも広い第２間隔で配列された複数の第２網目を有する第２金網部とを備えた点を、特徴とする。
【発明の効果】
【００１１】
本発明に係る金網の主題によれば、下部側の第１金網部の各第１網目の第１間隔が上部側の第２金網部の各第２網目の第２間隔よりも狭く設定されているために、下部側の各網目の左右方向の長さが狭くなる。その結果、鹿等に比較して体格の小さな害獣（小動物）又は幼児等の背丈が小さい人間が金網を前にして当該金網を通り抜けることがより困難となり、体格の小さな害獣の田畑・庭先等への侵入又は人間の管理地への不要な侵入をより有効に阻止することが可能となる。
【００１２】
以下、本発明の様々な具体化を、添付図面を基に、その効果・利点と共に、詳述する。
【図面の簡単な説明】
【００１３】
【図１】本発明の実施の形態１に係る金網を模式的に示す正面図である。
【図２】本発明の実施の形態１に係る金網の変形例を模式的に示す正面図である。
【図３】本発明の実施の形態１に係る金網の他の変形例を模式的に示す正面図である。
【発明を実施するための形態】
【００１４】
（実施の形態１）
＜特徴点＞
【００１５】
本実施の形態に係る金網の要部は、「正面視に於いて、下部側に位置する第１金網部を成す複数の第１網目の各々が有する左右方向（地面に平行な方向）への配列の第１間隔が、第１金網部と結合して上部側に位置する第２金網部を成す複数の第２網目の各々が有する左右方向への配列の第２間隔よりも常に狭く設定されている」点にある。
【００１６】
ここで、複数の第１網目の各々の第１間隔は、常に均一の値に設定されていても良いし、或いは、不均一の値に設定されていても良い。又、複数の第２網目の各々の第２間隔も、常に均一な値又は不均一な値でも良い。
【００１７】
他方、正面視に於ける上下方向（地面に直交する方向）に関する第２金網部の各第２網目の間隔は常に均一な値又は不均一な値に設定されていても良く、同様に、上下方向に於ける第１金網部の各第１網目の間隔も、常に均一な値又は不均一な値に設定されていても良い。
【００１８】
＜金網の構成・作用効果＞
【００１９】
図１は、金網１０を柵として地面に立てかけた際の正面視に於ける金網１０の構成を模式的に示す正面図であり、縦横に配列されて金網１０を成す各線材（例えば鉄線。）は、その交点において溶接されている。図１に於いては、図示の便宜上、各線材は、その厚みを無視して、実線のみで表示されている。又、図１に於いて、地面に平行な方向は左右方向Ｘであり、同一面内で左右方向Ｘと直交し且つ地面に垂直な方向は上下方向Ｙである。
【００２０】
金網１０は、大要、１）正面視に於いて地面側ないしは下部側に位置する第１金網部ＭＰ１と、２）連結部に該当する共通線材ＣＬＡを介して第１金網部ＭＰ１と結合して正面視に於いて上空側ないしは上部側に位置する第２金網部ＭＰ２とより構成されている。
【００２１】
これらの内で、第１金網部ＭＰ１は、同部ＭＰ１の一面を成す複数の第１網目Ｍ１を有する。各第１網目Ｍ１は、ｉ）上下方向Ｙに延在し且つ左右方向Ｘに関して第１間隔Ｄ１で配列された複数の第１線材ＬＭＡと、ｉｉ）左右方向Ｘに延在し且つ上下方向Ｙに関して第３間隔Ｄ３で配列された複数の第３線材ＬＭＣとが交差することにより構成されている。
【００２２】
他方、第２金網部ＭＰ２は、同部ＭＰ２の一面を成す複数の第２網目Ｍ２を有する。各第２網目Ｍ２は、ｉｉｉ）上下方向Ｙに延在し且つ左右方向Ｘに関して第２間隔Ｄ２（＞Ｄ１）で配列された複数の第２線材ＬＭＢと、ｉｖ）左右方向Ｘに延在し且つ上下方向Ｙに関して第４間隔Ｄ４で配列された複数の第４線材ＬＭＤとが交差することにより構成されている。
【００２３】
図１の本例に於いては、左右方向Ｘに関して、第１間隔Ｄ１は、常に、第２間隔Ｄ２の半分の長さに等しい（Ｄ１＝Ｄ２／２）。又、上下方向Ｙに関しては、常に、第３間隔Ｄ３は第４間隔Ｄ４に等しく設定されている（Ｄ３＝Ｄ４）。
【００２４】
勿論、第２金網部ＭＰ２は鹿等の相対的に背丈の大きい害獣の侵入を阻止する部分であるので、同部ＭＰ２の第４間隔Ｄ４は、第１金網部ＭＰ１の第３間隔Ｄ３よりも大きな値に設定されていても良い（Ｄ４＞Ｄ３）。更には、各第２網目Ｍ２の第４間隔Ｄ４は、例えば当該第２網目Ｍ２が上側（上空側）に配設される程に、より大きな値に順次に設定される様に、不均一な値に設定されても良い。
【００２５】
同様に、第１金網部ＭＰ１も、ウサギ、モグラ又はイタチの様な、相対的に体格が小さい害獣が特に横方向の姿勢状態から網目を潜り抜けて通過してしまうことを未然に防止することを主たる機能とするものであるので、上下方向Ｙに於ける第３間隔Ｄ３を第４間隔Ｄ４と等しく設定しておく必然性はないのであり、第３間隔Ｄ３も上下方向Ｙに関して不均一に設定されていても良い。
【００２６】
以上の通り、図１に例示される金網１０に於いては、上記の相対的に体格が小さい害獣の平均的な横幅寸法等の体格を念頭に入れた上で、左右方向Ｘに関する第１間隔Ｄ１が第２間隔Ｄ２よりも短い所定の寸法値に設定されている。そのため、上記の体格が小さい害獣らが、金網１０を前にして、横方向の姿勢状態で下部側の第１網目Ｍ１を潜り抜けようとしても、その身体の横幅よりも狭い寸法を有する第１間隔Ｄ１の存在により、その動きが阻止される結果、各第１網目Ｍ１を通過することが出来ない。その結果、金網１０は、第２間隔Ｄ２の寸法設定によって鹿等の背丈の大きい害獣の金網１０の通過を阻止し得ると共に、背丈が小さい害獣が第１金網部ＭＰ１の各第１網目Ｍ１を通過することをも有効に阻止し得る。
【００２７】
尚、害獣について記載した上記の作用・効果ないしは利点に関しては、比較的に背丈（体格）の小さい幼児等の人間が地面側下部の第１金網部ＭＰ１の各第１網目Ｍ１を通過することも有効に阻止し得るので、対人間用のフェンスとしての作用・効果の観点では、同様に成り立つものであると言える。
【００２８】
＜金網の変形例＞
【００２９】
図２は、本実施の形態に係る金網の別の構成例を模式的に示す正面図である。図２の参照符号の内で図１の参照符号と同一のものは、同一の構成要素を示す。
【００３０】
図１の金網１０と比較して、図２の金網１０Ａの構成の特徴点は、次の点にある。即ち、第１金網部ＭＰ１に於ける各第１網目Ｍ１の左右方向Ｘに於ける第１間隔Ｄ１が、第２間隔Ｄ２の半分（＝Ｄ２／２）よりも更に小さな寸法値に設定されており（Ｄ１＜Ｄ２／２）、その結果、第１網目Ｍ１が、様々な小動物の体格（横幅等）に柔軟に応じるべく、左右方向Ｘに関して、より木目細かに配列されている点にある。従って、図２の金網１０Ａは、図１の金網１０よりも、より一層に、身体の小さな害獣の通過を阻止することが出来る。
【００３１】
本例に於いては、各第１間隔Ｄ１は左右方向Ｘに関して均一な寸法値に設定されているが、この構成に限定されるものではなく、各第１間隔Ｄ１が第２間隔Ｄ２よりも小さな値である限り、各第１間隔Ｄ１の寸法値は左右方向Ｘに関して不均一に設定されていても良い。同様に、第２間隔Ｄ２，第３間隔Ｄ３，及び第４間隔Ｄ４の各々もまた、均一又は不均一な寸法に設定されていても良い。
【００３２】
又、図２に例示されている様に、少なくとも１本の、上下方向Ｙに延在する線材ＬＭＡＢ１（例えば鉄線。）を設けても良い。ここで、線材ＬＭＡＢ１は、第１金網部ＭＰ１及び第２金網部ＭＰ２の全体に亘って配設されている。即ち、線材ＬＭＡＢ１は、上下方向Ｙに於ける金網１０Ａの両端部の線材ＬＭＤＴ，ＬＭＣＢ間に亘って上下方向Ｙに延在する、両部ＭＰ１，ＭＰ２に共通の線材である。この線材ＬＭＡＢ１を設けることにより、両部ＭＰ１，ＭＰ２の連結部に該当する共通線材ＣＬＡ上の交差点ＣＰに於ける連結強度を高めることが可能となる。
【００３３】
或いは、図２に例示される様に、少なくとも１本の、上下方向Ｙに於ける金網１０Ａの上端部ＬＭＤＴと、第１金網部ＭＰ１及び第２金網部ＭＰ２の連結部に該当する共通線材ＣＬＡの下方に位置する所定の線材（例えば、線材ＬＭＡ１）との間に亘って上下方向Ｙに延在する、両部ＭＰ１，ＭＰ２に共通の線材ＬＭＡＢ２を設けることとしても良い。この場合にも、共通線材ＣＬＡ上の交差点ＣＰに於ける連結強度を高めることが可能となる。
【００３４】
或いは、図２の様に、線材ＬＭＡＢ１及び線材ＬＭＡＢ２の両方を設けることとしても良い。この場合には、交差点ＣＰに於ける連結強度がより一層高められる。
【００３５】
図３は、本実施の形態に係る金網の構成の別の変形例を模式的に示す正面図である。図３内の参照符号の内で図１及び図２の参照符号と同一のものは、同一の構成要素を示す。
【００３６】
図３に例示される金網１０Ｂに於いては、地面側の第１金網部ＭＰ１は、上下方向Ｙに関して、２つの小金網部ＭＰ１Ａ，ＭＰ１Ｂより構成されている。同様に、上空側の第２金網部ＭＰ２も、２つの小金網部ＭＰ２Ａ，ＭＰ２Ｂより構成されている。但し、図３の金網１０Ｂに於いても、左右方向Ｘに関しては、（第１間隔Ｄ１）＜（第２間隔Ｄ２）の大小関係は常に成立している。相違する点は、各金網部ＭＰ１Ａ，ＭＰ１Ｂ，ＭＰ２Ａ，ＭＰ２Ｂの上下方向Ｙに関して、Ｄ４Ｂ＞Ｄ４Ａ＞Ｄ３Ｂ＞Ｄ３Ａの大小関係が成立している点である。即ち、上下方向Ｙに沿って地面側から上空側へ向かう程に、線材ＬＭＣ，ＬＭＤの配置間隔はより一層に間引かれて順次に大きくなるので、上下方向Ｙに関しては金網１０Ｂの軽量化が図られる結果、金網自体の低コスト化が促進される。勿論、本別の変形例に於いても、各間隔Ｄ１，Ｄ２，Ｄ３，Ｄ４は、対応する方向に関して均一値に設定されている必要性はなく、不均一な値に設定されていても良い。
【００３７】
尚、第１金網部ＭＰ１と第２金網部ＭＰ２とが互いに直接に連結されている必要性はなく、中間部材（図示せず。）を介して間接的に両部ＭＰ１，ＭＰ２が連結されていても良い。この場合には、左右方向Ｘに関して、第２間隔Ｄ２との大小関係（Ｄ１＜Ｄ２）の成立のみならず、中間部の各網目の間隔（図示せず。）よりも、第１金網部ＭＰ１の各網目の第１間隔Ｄ１の方が常に小さく設定されていても良い。
【００３８】
又、正面視に於いて、上下方向及び左右方向を認識し得る限り、各第１網目及び各第２網目の形状は、長方形又は四角形に限られず、任意である。
【００３９】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００４０】
この発明は、例えば、その一部が地面内に埋設されて田畑等に設置される獣害対策用金網に適用して好適である。
【符号の説明】
【００４１】
１０    獣害対策用金網
１０Ａ  獣害対策用金網
ＭＰ１  第１金網部
ＭＰ２  第２金網部
Ｄ１    第１間隔
Ｄ２    第２間隔
Ｍ１    第１網目
Ｍ２    第２網目
Ｘ      左右方向
Ｙ      上下方向
【図１】
2015084674.tif 000003
【図２】
2015084674.tif 000004
【図３】
2015084674.tif 000005